(57)【要約】【課題】正常状態時の照明効率が高い光源装置及びこれを用いた照明装置を提供する。【解決手段】光源装置は、レーザダイオード素子１と、１次反射面２１及び２次反射面２２よりなるリフレクタ２と、２次反射面２２を貫通して設けられ、レーザダイオード素子１からの励起光としてのコヒーレント光Ｌ１の一部を波長変換して残りの光と混色して１次発散光ＤＬ１としての非コヒーレント光Ｌ２を１次反射面２１に向けて出射する波長変換部材３と、リフレクタ２の１次反射面２１及び２次反射面２２からの非コヒーレント光Ｌ２を出射するレンズ４と、波長変換部材３の位置を介してレーザダイオード素子１に対向した１次反射面２１上の位置に設けられ、レーザダイオード素子１からのコヒーレント光Ｌ１を終端処理するコヒーレント光終端処理部５と、コヒーレント光終端処理部５の開口ＯＰに設けられた不可逆性形状記憶合金よりなるフラップ６とによって構成されている。【選択図】        図１
2016213109.tif 000002
【特許請求の範囲】
【請求項１】
１次反射面及び該1次反射面に対向した２次反射面を有するリフレクタと、
前記２次反射面の外側に設けられたコヒーレント光源と、
前記２次反射面を貫通して設けられ、前記コヒーレント光源のコヒーレント光の一部を非コヒーレント光に変換し残りの光と混色し１次発散光として前記１次反射面に出射する第１の波長変換部材と、
前記第１の波長変換部材の位置を介して前記コヒーレント光源に対向した前記１次反射面の位置に設けられ、形状記憶合金よりなるフラップと、
前記第１の波長変換部材の異常状態時の前記コヒーレント光の照射によって前記形状記憶合金が形状記憶状態となって前記フラップが開放したときに前記コヒーレント光を吸収するコヒーレント光吸収手段と
を具備する光源装置。
【請求項２】
前記コヒーレント光吸収手段はコヒーレント光終端処理部を具備する請求項１に記載の光源装置。
【請求項３】
前記コヒーレント光終端処理部は前記フラップの外側に設けられ、
前記フラップが開放されたときに前記第１の波長変換部材の異常状態時の前記コヒーレント光が前記コヒーレント光終端処理部に取り込まれるようにした請求項２に記載の光源装置。
【請求項４】
前記コヒーレント光終端処理部は前記２次反射面に貫通して設けられ、
前記フラップが所定角度で開放されたときに前記第１の波長変換部材の異常状態時の前記コヒーレント光が前記フラップによって反射されて前記コヒーレント光終端処理部に取り込まれるようにした請求項２に記載の光源装置。
【請求項５】
前記コヒーレント光吸収手段は第２の波長変換部材である請求項１に記載の光源装置。
【請求項６】
さらに、前記フラップによって仕切られ前記１次反射面の外側に設けられた光路ユニットを具備し、
前記第２の波長変換部材は前記フラップと反対側の前記光路ユニットを貫通して設けられ、
前記フラップが所定角度で開放されたときに前記第１の波長変換部材の異常状態時の前記コヒーレント光が前記フラップによって反射され前記光路ユニット内を反射して前記第２の波長変換部材に取り込まれ、前記第２の波長変換部材は２次発散光を前記光路ユニットの外部へ出射するようにした請求項５に記載の光源装置。
【請求項７】
前記第２の波長変換部材は前記２次反射面の内側に設けられ、
前記フラップが所定角度で開放されたときに前記第１の波長変換部材の異常状態時の前記コヒーレント光が前記フラップによって反射されて前記第２の波長変換部材に取り込まれ、前記第２の波長変換部材は２次発散光を前記１次反射面に出射するようにした請求項５に記載の光源装置。
【請求項８】
前記第２の波長変換部材は前記第１の波長変換部材の異常状態時の前記コヒーレント光の前記２次反射面上の軌跡長の長さを有する請求項７に記載の光源装置。
【請求項９】
前記第２の波長変換部材の２次発散光の色は前記第１の波長変換部材の１次発散光の色と異なり、前記２次発散光は異常状態インディケータとして作用する請求項５に記載の光源装置。
【請求項１０】
前記形状記憶合金は不可逆性である請求項１〜９のいずれかに記載の光源装置。
【請求項１１】
前記フラップは前記１次反射面の外側に固定された取付溝を有するリブを具備し、
前記形状記憶合金は前記リブの取付溝に挿入固定された請求項１〜１０のいずれかに記載の光源装置。
【請求項１２】
前記コヒーレント光終端処理部は開口周辺の底面に設けた取付溝を有し、前記形状記憶合金は前記コヒーレント光終端処理部の取付溝に挿入固定され、前記コヒーレント光終端処理部及び前記フラップをプラグとして一体化した請求項３に記載の光源装置。
【請求項１３】
前記フラップは開口周辺の底面に設けた取付溝を有するプラグを具備し、前記形状記憶合金は前記プラグの取付溝に挿入固定された請求項１に記載の光源装置。
【請求項１４】
前記形状記憶合金は複数個である請求項１２または１３に記載の光源装置。
【請求項１５】
請求項１〜１４のいずれかに記載の光源装置と、
前記光源装置の出射光を所定方向に投影する投影光学ユニットと
を具備する照明装置。
【発明の詳細な説明】
【技術分野】
【０００１】
本発明は、たとえばレーザ光を利用した光源装置及びこれを用いた照明装置に関する。
【背景技術】
【０００２】
従来、レーザ光を利用した光源装置においては、波長変換部材を設け、レーザ光の一部を吸収して波長変換し、波長変換された光と波長変換されない光とを混色して混色光たとえば疑似白色光を出射する。この場合、レーザ光は、コヒーレント光であるので、人、物に対して直接照射されると、損傷を引き起こし、特に、人間の目に照射されると失明になる等の重大な悪影響を及ぼす。しかし、通常、レーザ光は上述の波長変換部材で散乱されて非コヒーレント光となりかつランバーシアン状に広がるので、人間に対して悪影響を及ぼすことはない。
【０００３】
ところで、何らかの内的要因、外的要因で波長変換部材が脱落した場合、レーザ光が直接外部に出射され、人、物に対して直接照明されることになる。従って、このようなレーザ光の直接外部に出射されないようにするフェールセーフ機構が必要である。
【０００４】
フェールセーフ機構を設けた従来の光源装置は、図１５の（Ａ）に示すように、レーザダイオード素子１と、１次反射面２１及び２次反射面２２よりなるリフレクタ２と、２次反射面２２を貫通して設けられ、レーザダイオード素子１からの励起光としてのコヒーレント光Ｌ１の一部を波長変換し残りの光と混色して１次発散光ＤＬ１としての非コヒーレント光Ｌ２を１次反射面２１に向けて出射する波長変換部材３と、リフレクタ２の１次反射面２１及び２次反射面２２から反射された非コヒーレント光Ｌ２を出射するレンズ４と、波長変換部材３の位置を介してレーザダイオード素子１に対向した１次反射面２１上の位置に設けられ、レーザダイオード素子１からのコヒーレント光Ｌ１を終端処理するコヒーレント光終端処理部５とによって構成されている（参照：特許文献１）。
【０００５】
すなわち、図１５の（Ａ）に示す波長変換部材３の正常状態時には、波長変換部材３からの無害光である非コヒーレント光Ｌ２はリフレクタ２の１次反射面２１に向けて出射しさらに１次反射面２１及び２次反射面２２によって反射されてレンズ４を介して出射される。これに対し、図１５の（Ｂ）に示す波長変換部材３の異常状態時には、波長変換部材３が欠損または脱落し、レーザダイオード素子１からの有害光であるコヒーレント光Ｌ１はコヒーレント光終端処理部５に入射し、終端処理される。
【先行技術文献】
【特許文献】
【０００６】
【特許文献１】特許第５２０４８８５号（特開２０１３−１０１８８７号公報）
【発明の概要】
【発明が解決しようとする課題】
【０００７】
しかしながら、上述の図１５に示す従来の光源装置においては、有害なコヒーレント光Ｌ１を確実に終端処理するためには、コヒーレント光終端処理部５の開口ＯＰを大きくしなければならない。従って、図１５の（Ａ）に示すように、波長変換部材３の正常状態時の無害な非コヒーレント光Ｌ２の一部もコヒーレント光終端処理部５に入射して終端処理される。この結果、正常状態時の照明効率が低下するという課題がある。
【課題を解決するための手段】
【０００８】
上述の課題を解決するために、本発明に係る光源装置は、１次反射面及び１次反射面に対向した２次反射面を有するリフレクタと、２次反射面の外側に設けられたコヒーレント光源と、２次反射面を貫通して設けられ、コヒーレント光源のコヒーレント光の一部を非コヒーレント光に変換し残りの光と混色し１次発散光として１次反射面に出射する波長変換部材と、波長変換部材の位置を介してコヒーレント光源に対向した１次反射面の位置に設けられ、形状記憶合金よりなるフラップと、波長変換部材の異常状態時のコヒーレント光の照射によって形状記憶合金が形状記憶状態となってフラップが開放したときにコヒーレント光を吸収するコヒーレント光吸収手段とを具備するものである。これにより、波長変換部材の正常状態時には非コヒーレント光がフラップによって反射されてコヒーレント光吸収手段に吸収されなくなる。
【０００９】
また、本発明に係る照明装置は、上述の光源装置と、光源装置の出射光を所定方向に投影する投影光学ユニットとを具備するものである。
【発明の効果】
【００１０】
本発明によれば、波長変換部材の正常状態時には非コヒーレント光は吸収されないので、正常状態時の照明効率を向上できる。
【図面の簡単な説明】
【００１１】
【図１】本発明に係る光源装置の第１の実施の形態の正常状態を示す図である。
【図２】図１の光源装置の異常状態時の動作を説明するための図である。
【図３】本発明に係る光源装置の第２の実施の形態の正常状態を示す図である。
【図４】図３の光源装置の異常状態時の動作を説明するための図である。
【図５】本発明に係る光源装置の第３の実施の形態の正常状態を示す図である。
【図６】図５の光源装置の異常状態時の動作を説明するための図である。
【図７】本発明に係る光源装置の第４の実施の形態の正常状態を示す図である。
【図８】図７の光源装置の異常状態時の動作を説明するための図である。
【図９】図７の光源装置の変更例の正常状態を示す図である。
【図１０】図９の光源装置の異常状態時の動作を説明するための図である。
【図１１】図３、図７、図９の光源装置のフラップの取付を説明するための図である。
【図１２】図１のコヒーレント光終端処理部及びフラップを一体化したプラグを説明するための図である。
【図１３】図１の光源装置に対する図１２のプラグの取付を説明するための図である。
【図１４】図１３に基づいて図１の光源装置に取付けられたプラグのみの異常時動作を示す図である。
【図１５】従来の光源装置を示す図であって、（Ａ）は正常状態時を示し、（Ｂ）は異常状態時を示す。
【発明を実施するための形態】
【００１２】
図１は本発明に係る光源装置の第１の実施の形態の正常状態を示す図である。図１においては、図１５の光源装置に対して不可逆性形状記憶合金よりなるフラップ（蓋）６をコヒーレント光終端処理部５の開口ＯＰに付加したものである。つまり、コヒーレント光終端処理部５はフラップ６の外側に位置する。波長変換部材３からの熱エネルギーの弱い非コヒーレント光Ｌ２を受ける正常状態では、フラップ６はコヒーレント光終端処理部５の開口ＯＰを閉口し、リフレクタ２の１次反射面２１の一部として作用する。他方、波長変換部材３が欠損または脱落した異常状態時では、フラップ６はコヒーレント光終端処理部５の開口ＯＰを開放し、コヒーレント光Ｌ１はコヒーレント光終端処理部５に取込まれる。これについて図２を参照して説明する。
【００１３】
始めに、図２の（Ａ）を参照すると、波長変換部材３が欠損または脱落すると、レーザダイオード素子１からのコヒーレント光Ｌ１が直接フラップ６を照射する。
【００１４】
次に、図２の（Ｂ）を参照すると、フラップ６はコヒーレント光Ｌ１の強い熱エネルギーによって加熱されて吸熱復元動作に移行し、コヒーレント光終端処理部５の開口ＯＰを開放し始める。このとき、コヒーレント光Ｌ１は一時的にフラップ６によって反射されてリフレクタ２の２次反射面２２に向う。
【００１５】
最後に、図２の（Ｃ）を参照すると、フラップ６はコヒーレント光終端処理部５の開口ＯＰを完全に開放する。従って、コヒーレント光Ｌ１は開口ＯＰを介してコヒーレント光終端処理部５に入り込み、終端処理されて消滅する。この結果、コヒーレント光Ｌ１のレンズ４からの出射は抑止される。
【００１６】
尚、フラップ６のコヒーレント光終端処理部５の開口ＯＰの開放状態への移行時に、コヒーレント光Ｌ１は、短時間、レンズ４から出射されるが、その量は僅かである。但し、リフレクタ２の２次反射面２２に波長変換部材を設けることによりレンズ４から出射されるコヒーレント光Ｌ１をさらに減少させることができる。
【００１７】
図３は本発明に係る光源装置の第２の実施の形態の正常状態を示す図である。図３においては、コヒーレント光終端処理部５はリフレクタ２の２次反射面２２に貫通して設けられている。波長変換部材３からの熱エネルギーの弱い非コヒーレント光Ｌ２を受ける正常状態時では、フラップ６はリフレクタ２の１次反射面２１の一部として作用する。他方、波長変換部材３が欠損または脱落した異常状態時では、コヒーレント光Ｌ１はコヒーレント光終端処理部５に取込まれる。これについて図４を参照して説明する。
【００１８】
始めに、図４の（Ａ）を参照すると、波長変換部材３が欠損または脱落すると、レーザダイオード素子１からのコヒーレント光Ｌ１が直接フラップ６を照射する。
【００１９】
次に、図４の（Ｂ）を参照すると、フラップ６はコヒーレント光Ｌ１の強い熱エネルギーによって加熱されて吸熱復元動作に移行し、上方に傾斜し始める。このとき、コヒーレント光Ｌ１は一時的にフラップ６によって反射されてリフレクタ２の２次反射面２２に向う。
【００２０】
最後に、図４の（Ｃ）を参照すると、フラップ６は完全に上方に傾斜する。従って、コヒーレント光Ｌ１はフラップ６によって反射されてコヒーレント光終端処理部５に入り込み、終端処理されて消滅する。この結果、コヒーレント光Ｌ１のレンズ４からの出射は抑止される。
【００２１】
尚、フラップ６の上方への傾斜の過渡時に、コヒーレント光Ｌ１は、短時間、レンズ４から出射されるが、その量は僅かである。但し、リフレクタ２の２次反射面２２に波長変換部材を設けることによりレンズ４から出射されるコヒーレント光Ｌ１をさらに減少させることができる。
【００２２】
図１〜図４のコヒーレント光終端処理部５は、コヒーレント光Ｌ１を吸収減衰するビームダンパを有するもの（参照：特許文献１の図２）、またはコヒーレント光Ｌ１を散乱減衰する積分球（参照：特許文献１の図３）である。
【００２３】
図５は本発明に係る光源装置の第３の実施の形態の正常状態を示す図である。図５においては、図１のコヒーレント光終端処理部５の代りに、フラップ６によって仕切られた光路ユニット７及び異常時波長変換部材８がリフレクタ２の１次反射面２１の外側に設けられている。すなわち、異常時波長変換部材８は光路ユニット７の開口ＯＰの反対側を貫通して設けられ、異常時波長変換部材８は光路ユニット７内に入射したコヒーレント光Ｌ１を非コヒーレント光Ｌ２に変換して無害化すると共に、変換後の色を赤色等にして異常状態インディケータとして作用する。この場合、波長変換部材３からの熱エネルギーの弱い非コヒーレント光Ｌ２を受ける正常状態時では、フラップ６はリフレクタ２の１次反射面２１の一部として作用する。他方、波長変換部材３が欠損または脱落した異常状態時では、コヒーレント光Ｌ１は光路ユニット７内に取込まれる。これについて図６を参照して説明する。
【００２４】
始めに、図６の（Ａ）を参照すると、波長変換部材３が欠損または脱落すると、レーザダイオード素子１からのコヒーレント光Ｌ１が直接フラップ６を照射する。
【００２５】
次に、図６の（Ｂ）を参照すると、フラップ６はコヒーレント光Ｌ１の強い熱エネルギーによって加熱されて吸熱復元動作に移行し、上方に傾斜し始める。このとき、コヒーレント光Ｌ１は一時的にフラップ６によって反射されてリフレクタ２の２次反射面２２に向う。
【００２６】
最後に、図６の（Ｃ）を参照すると、フラップ６は光路ユニット７の上方に完全に傾斜する。従って、コヒーレント光Ｌ１はフラップ６によって反射されて光路ユニット７に入り込み、異常時波長変換部材８に到達する。この結果、異常時波長変換部材８はコヒーレント光Ｌ１を波長変換して非コヒーレントな２次発散光ＤＬ２をレンズ４を介さず出射する。この２次発散光ＤＬ２はたとえば赤色光であり、異常状態インディケータとして作用する。この結果、コヒーレント光Ｌ１のレンズ４からの出射は抑止される。
【００２７】
尚、フラップ６の上方への傾斜の過渡時に、コヒーレント光Ｌ１は、短時間、レンズ４から出射されるが、その量は僅かである。但し、リフレクタ２の２次反射面２２に波長変換部材を設けることによりレンズ４から出射されるコヒーレント光Ｌ１をさらに減少させることができる。
【００２８】
図７は本発明に係る光源装置の第４の実施の形態の正常状態を示す図である。図７においては、図５の異常時波長変換部材８はリフレクタ２の２次反射面２２の内側に設けられている。すなわち、図５の光路ユニット７は設けられていない。この場合、波長変換部材３からの熱エネルギーの弱い非コヒーレント光Ｌ２を受ける正常状態時では、フラップ６はリフレクタ２の１次反射面２１の一部として作用する。他方、波長変換部材３が欠損または脱落した異常状態時では、コヒーレント光Ｌ１は異常時波長変換部材８に取込まれる。これについて図８を参照して説明する。
【００２９】
始めに、図８の（Ａ）を参照すると、波長変換部材３が欠損または脱落すると、レーザダイオード素子１からのコヒーレント光Ｌ１が直接フラップ６に照射する。
【００３０】
次に、図８の（Ｂ）を参照すると、フラップ６はコヒーレント光Ｌ１の強い熱エネルギーによって加熱されて吸熱復元動作に移行し、上方に傾斜し始める。このとき、コヒーレント光Ｌ１は一時的にフラップ６によって反射されてリフレクタ２の２次反射面２２に向う。
【００３１】
最後に、図８の（Ｃ）を参照すると、フラップ６は上方に完全に傾斜する。従って、コヒーレント光Ｌ１はフラップ６によって反射されて異常時波長変換部材８に到達する。この結果、異常時波長変換部材８はコヒーレント光Ｌ１を波長変換して非コヒーレントな２次発散光ＤＬ２をレンズ４を介して出射する。この２次発散光ＤＬ２はたとえば赤色光であり、異常状態インディケータとして作用する。この結果、コヒーレント光Ｌ１のレンズ４からの出射は抑止される。
【００３２】
尚、フラップ６の上方への傾斜の過渡時に、コヒーレント光Ｌ１は、短時間、レンズ４から出射されるが、その量は僅かである。但し、リフレクタ２の２次反射面２２に波長変換部材を設けることによりレンズ４から出射されるコヒーレント光Ｌ１をさらに減少させることができる。
【００３３】
図９は図７の光源装置の変更例を示す。図９においては、図７の異常時波長変換部材８に比較して長い異常時波長変換部材８’を設けてある。すなわち、異常時波長変換部材８’は異常状態時のコヒーレント光Ｃ１の２次反射面２２上の軌跡の長さを有する。これにより、異常時波長変換部材８’はコヒーレント光Ｃ１のすべてを非コヒーレント光Ｃ２に変換し、コヒーレント光Ｃ１のレンズ４を介した出射をより完全に抑止する。この場合も、波長変換部材３からの熱エネルギーの弱い非コヒーレント光Ｌ２を受ける正常状態時では、フラップ６はリフレクタ２の１次反射面２１の一部として作用する。他方、波長変換部材３が欠損または脱落した異常状態時では、コヒーレント光Ｌ１は異常時波長変換部材８’に取込まれる。これについて図１０を参照して説明する。
【００３４】
始めに、図１０の（Ａ）を参照すると、波長変換部材３が欠損または脱落すると、レーザダイオード素子１からのコヒーレント光Ｌ１が直接フラップ６に照射する。
【００３５】
次に、図１０の（Ｂ）を参照すると、フラップ６はコヒーレント光Ｌ１の強い熱エネルギーによって加熱されて吸熱復元動作に移行し、上方に傾斜し始める。このとき、コヒーレント光Ｌ１はフラップ６によって反射されてリフレクタ２の２次反射面２２に向い異常時波長変換部材８’に到達する。この結果、異常時波長変換部材８’はコヒーレント光Ｌ１を波長変換して非コヒーレントな２次発散光ＤＬ２をレンズ４を介して出射する。この結果、コヒーレント光Ｌ１のレンズ４からの出射は抑止される。
【００３６】
最後に、図１０の（Ｃ）を参照すると、フラップ６は上方に完全に傾斜する。この場合にも、コヒーレント光Ｌ１はフラップ６によって反射されて異常時波長変換部材８’に到達する。この結果、異常時波長変換部材８’はコヒーレント光Ｌ１を波長変換して非コヒーレントな２次発散光ＤＬ２をレンズ４を介して出射する。この結果、コヒーレント光Ｌ１のレンズ４からの出射は抑止される。
【００３７】
このように、図９、図１０においては、フラップ６の上方への傾斜の過渡時においても、コヒーレント光Ｌ１はレンズ４から出射されない。尚、この場合も、２次発散光ＤＬ２は異常状態インディケータとして作用する。
【００３８】
図１１は図３、図７、図９の光源装置にフラップの取付を説明する図である。尚、図１１では、図３、図７、図９の光源装置を例とするが、図１、図５の光源装置におけるフラップの取付にも適用できる。
【００３９】
始めに、図１１の（Ａ）を参照すると、形状記憶合金６ａをたとえば５００℃で塑性変形させて形状記憶する。次いで、形状記憶合金６ａをフラップ用に成形して形状記憶合金６ｂとする。
【００４０】
他方、図１１の（Ｂ）を参照すると、リフレクタ２の１次反射面２１の開口ＯＰ近傍に取付溝６ｃを有するリブ６ｄを固定する。
【００４１】
最後に、図１１の（Ｃ）を参照すると、成形した形状記憶合金６ｂをリブ６ｄの取付溝６ｃに挿入して固定する。
【００４２】
このように、形状記憶合金６ｂが波長変換部材３の異常状態時のコヒーレント光Ｌ１によって吸熱復元されたときには、波長変換部材３の修理または交換と共に、形状記憶合金６ｂを交換してもよい。
【００４３】
図１２は図１のコヒーレント光終端処理部５とフラップ６とを一体化したプラグを説明する図である。
【００４４】
始めに、図１２の（Ａ）を参照すると、コヒーレント光終端処理部５は開口ＯＰ１を有する。開口ＯＰ１周辺の底面に取付溝５ａを形成する。尚、コヒーレント光終端処理部５は円筒状となっているが、実際には、ビームダンパもしくは積分球の形状をなしていてもよい（参照：特許文献１の図２、図３）。
【００４５】
次に、図１２の（Ｂ）を参照すると、４枚の形状記憶合金６ａ'をたとえば５００℃で塑性変形させて形状記憶する。このときの形状は平板状となっている。次いで、形状記憶合金６ａ'をフラップ用に成形して形状成形合金６ｂ'とし、フラップ６を完成する。このときの形状は折り曲げ状となっている。
【００４６】
次に、図１２（Ｃ）を参照すると、成形した形状記憶合金６ｂ'よりなるフラップ６をコヒーレント光終端処理部５の取付溝５ａに挿入して固定する。
【００４７】
このようにして、コヒーレント光終端処理部５とフラップ６とを一体化したプラグ９は完成する。
【００４８】
尚、図１２において、形状記憶合金６ｂ'及び取付溝５ａのそれぞれの数は４としているが、単数または４以外の複数になし得る。
【００４９】
図１３は図１２の（Ａ）、（Ｂ）、（Ｃ）に基づいて得られたプラグ９を図１の光源装置のために取付ける場合を説明する図である。
【００５０】
始めに、図１３の（Ａ）を参照すると、プラグ９は予めリフレクタ２の１次反射面２１の形状に合致するように形成しておく。
【００５１】
次に、図１３の（Ｂ）を参照すると、開口ＯＰを１次反射面２１に有するリフレクタ２を準備する。
【００５２】
最後に、図１３（Ｃ）を参照すると、リフレクタ２の１次反射面２１の開口ＯＰにプラグ９を挿入して固定する。
【００５３】
図１３の（Ａ）、（Ｂ）、（Ｃ）に基づいて図１の光源装置に取り付けられたプラグ９のみの異常時動作を図１４を参照して説明する。
【００５４】
始めに、図１４の（Ａ）を参照すると、コヒーレント光Ｌ１の照射直前のフラップ６の形状記憶合金６ｂ'は屈曲している。この状態では、プラップ６は完全に閉じている。従って、コヒーレント光Ｌ１はコヒーレント光終端処理部５に入射できない。
【００５５】
次に、図１４の（Ｂ）を参照すると、形状記憶合金６ｂ'はコヒーレント光Ｌ１の強いエネルギーによって加熱されて吸熱復元動作に移行し、形状記憶の平板状に向かう。この結果、コヒーレント光Ｌ１はコヒーレント光終端処理部５内に入射し始める。
【００５６】
最後に、図１４（Ｃ）を参照すると、形状記憶合金６ｂ'は完全に形状記憶の平板状となり、プラップ６の開口ＯＰ、つまりコヒーレント光終端処理部５の開口ＯＰ１は完全に開放される。この結果、コヒーレント光Ｌ１はコヒーレント光終端処理部５に入射する。
【００５７】
このように、形状記憶合金６ｂ'が波長変換部材３の異常状態時のコヒーレント光Ｌ１によって吸熱復元されたときには、波長変換部材３の修理または交換と共に、プラグ９を交換してもよい。
【００５８】
図１２、１３、１４のプラグ９は図１のコヒーレント光終端処理部５とフラップ６とを一体化するものであるが、プラグ９を単なるフラップのみとして図３、図７、図９のフラップ６に適用することもできる。この場合は、形状記憶合金６ｂ'の形状記憶状態は垂直ではなく、傾斜している。
【００５９】
上述の実施の形態において、形状記憶合金は一般的にＮｉ、Ｔｉの合金よりなり、表面にはＮｉまたはＴｉ、好ましくは、Ｎｉを鏡面反射材としてメッキ、蒸着等によって形成する。これにより、フラップが閉じているときに、フラップはリフレクタの反射面として効率的に作用することができる。また、形状記憶合金の反応速度を高めるために、形状記憶合金の厚さは薄く、たとえば１０〜５００μｍ、好ましくは５０μｍとする。さらに、１次反射面２１が球面状をなし、２次反射面２２が平面状をなしているが、これに限定されるものではなく、１次反射面２１、２次反射面２２が共に球面状でもよい。
【００６０】
尚、形状記憶合金としては、可逆形状記憶効果を有するものと、不可逆形状記憶効果を有するものとがある。本発明においてはどちらを用いてもよい。
【００６１】
また、上述の光源装置を投影光学ユニットと組合わせることにより種々の照明装置を構成することができる。たとえば、プロジェクタ型、リフレクタ型の車両用前照灯を構成することができる。
【００６２】
さらに、本発明は上述の実施の形態の自明の範囲内のいかなる変更にも適用し得る。
【産業上の利用可能性】
【００６３】
本発明は車両用前照灯の以外の車両用灯具、及び一般の照明装置に利用できる。
【符号の説明】
【００６４】
１：レーザダイオード素子
２：リフレクタ
２１：１次反射面
２２：２次反射面
３：波長変換部材
４：レンズ
５：コヒーレント光終端処理部
６：フラップ
６ａ、６ｂ、６ａ’、６ｂ’：形状記憶合金
７：光路ユニット
８、８’：異常時波長変換部材
９：プラグ
ＯＰ：開口
ＯＰ１：プラグの開口
Ｌ１：コヒーレント光
Ｌ２：非コヒーレント光
ＤＬ１：１次発散光
ＤＬ２：２次発散光
【図１】
2016213109.tif 000003
【図２】
2016213109.tif 000004
【図３】
2016213109.tif 000005
【図４】
2016213109.tif 000006
【図５】
2016213109.tif 000007
【図６】
2016213109.tif 000008
【図７】
2016213109.tif 000009
【図８】
2016213109.tif 000010
【図９】
2016213109.tif 000011
【図１０】
2016213109.tif 000012
【図１１】
2016213109.tif 000013
【図１２】
2016213109.tif 000014
【図１３】
2016213109.tif 000015
【図１４】
2016213109.tif 000016
【図１５】
2016213109.tif 000017